(57)【要約】【課題】  情報の取得が行われたこと、及び情報の内容を示す通知を利用できる情報取得装置、通信機器、情報取得通知システム、及び情報取得通知方法を提供する。【解決手段】  本発明の情報取得装置は、取得した情報を蓄積する蓄積手段と、前記情報を取得すると、情報の識別情報及び格納場所を含む取得通知を周囲の通信機器に近距離無線通信を利用して送信する送信手段と、前記通信機器から前記情報の送信要求を受けると、前記情報を前記通信機器へ送信する情報送信手段とを備える。【選択図】      図１
2011060106.tif 000002
【特許請求の範囲】
【請求項１】
取得した情報を蓄積する蓄積手段と、
前記情報を取得すると、情報の識別情報及び格納場所を含む取得通知を周囲の通信機器に近距離無線通信を利用して送信する送信手段と、
前記通信機器から前記情報の送信要求を受けると、前記情報を前記通信機器へ送信する情報送信手段と
を備えることを特徴とする情報取得装置。
【請求項２】
撮影した動画や静止画を前記情報として取得する撮影手段を
更に備えることを特徴とする請求項１に記載の情報取得装置。
【請求項３】
前記情報は写真である
ことを特徴とする請求項１又は２に記載の情報取得装置。
【請求項４】
前記情報をネットワーク上のサーバーにアップロードするための通信手段を
更に備えることを特徴とする請求項１乃至３の何れかに記載の情報取得装置。
【請求項５】
前記近距離無線通信は、無線ＬＡＮ、Ｂｌｕｅｔｏｏｔｈ（登録商標）、ＩｒＤＡの何れかである
ことを特徴とする請求項１乃至４の何れかに記載の情報取得装置。
【請求項６】
前記送信手段の動作を停止させる停止手段を
更に備えることを特徴とする請求項１乃至５の何れかに記載の情報取得装置。
【請求項７】
近距離無線受信部と、
情報取得装置から送信され、前記近距離無線受信部で受信した取得通知を記憶する記憶手段と、
前記取得通知に含まれている情報の格納場所にアクセスし、情報の送信を要求する情報要求手段と
を備えることを特徴とする通信機器。
【請求項８】
アップロードされた前記情報を蓄積するサーバーに接続するための通信手段を
更に備えることを特徴とする請求項７に記載の通信機器。
【請求項９】
前記記憶手段の動作を停止させる、又は、前記近距離無線受信部の前記取得通知の受信を停止させる停止手段を
更に備えることを特徴とする請求項７又は８に記載の通信機器。
【請求項１０】
請求項１乃至６の何れかに記載の情報取得装置と、
請求項７乃至９の何れかに記載の通信機器と
を備えることを特徴とする情報取得通知システム。
【請求項１１】
前記情報取得装置は、ディジタル式のカメラであり、
前記通信機器は、携帯通信端末である
ことを特徴とする請求項１０に記載の情報取得通知システム。
【請求項１２】
前記情報取得装置は、入退場ゲートであり、
前記通信機器は、ＲＦＩＤ装置である
ことを特徴とする請求項１０に記載の情報取得通知システム。
【請求項１３】
前記情報取得装置から取得した情報がアップロードされるサーバーを
更に備えることを特徴とする請求項１０乃至１２の何れかに記載の情報取得通知システム。
【請求項１４】
情報を取得すると、情報の識別情報及び格納場所を含む取得通知を周囲の通信機器に近距離無線通信を利用して送信する送信ステップと、
近距離無線通信を介して通信機器が取得通知を受信する受信ステップと、
前記格納場所から情報を送信するよう前記通信機器が要求する送信要求ステップと、
情報を送信するよう要求されると、前記格納場所から前記通信機器へ情報を送信する情報送信ステップと
を備えることを特徴とする情報取得通知方法。
【請求項１５】
取得された前記情報がサーバーにアップロードされるアップロードステップと、
前記サーバーに前記通信機器が接続するためのサーバー接続ステップとを
更に備えることを特徴とする請求項１４に記載の情報取得通知方法。
【請求項１６】
取得した情報を蓄積する蓄積ステップと、
前記情報を取得すると、情報の識別情報及び格納場所を含む取得通知を周囲の通信機器に近距離無線通信を利用して送信する送信ステップと、
前記通信機器から前記情報の送信要求を受けると、前記情報を前記通信機器へ送信する情報送信ステップと
を備えることを特徴とする情報取得装置の情報取得通知方法。
【請求項１７】
前記情報をネットワーク上のサーバーにアップロードするための通信ステップを
更に備えることを特徴とする請求項１６に記載の情報取得装置の情報取得通知方法。
【請求項１８】
近距離無線で送られる取得通知を受信する近距離無線受信ステップと、
情報取得装置から送信され、受信した前記取得通知を記憶する記憶ステップと、
前記取得通知に含まれる情報の格納場所にアクセスし、情報の送信を要求する情報要求ステップと
を備えることを特徴とする通信機器における情報取得通知方法。
【請求項１９】
アップロードされた前記情報を蓄積するサーバーに接続するための通信ステップを
更に備えることを特徴とする請求項１８に記載の通信機器における情報取得通知方法。
【発明の詳細な説明】
【技術分野】
【０００１】
この発明は、情報取得装置、通信機器、情報取得通知システム、及び情報取得通知方法に関する。
【背景技術】
【０００２】
写真等のコンテンツ情報を送信するコンテンツ提供システムは、例えば、特開２００７−０８６９０２号公報（特許文献１）に記載されている。
【０００３】
このコンテンツ提供システムは、コンテンツ提供装置が、コンテンツ作成手段で作成されてから一定時間内のコンテンツを、一定範囲内に存在するコンテンツ受信装置に情報として送信する。また、コンテンツ提供装置は、コンテンツ受信装置からコンテンツ要求が行われると、そのコンテンツ受信装置に対し、コンテンツの情報を送信する。更に、コンテンツ提供装置は、コンテンツが作成されたことを一定範囲内のコンテンツ受信装置に通知する。
【０００４】
また、テーマパークの入園者等を撮影する撮影システムは、例えば、特開２００３−１４３３５０号公報（特許文献２）に記載されている。
【０００５】
この撮影システムでは、テーマパークの入園者が識別番号の記載されたリストバンドを手首に装着することを必要とする。そして、このリストバンドからの信号に反応して、テーマパーク内のカメラのシャッターが押され、識別番号と画像とがサーバーに保存される。テーマパークの入園者は、自分のパソコンより識別番号を入力することにより、サーバーから、自分が撮影された撮影画像を確認することができる。
【先行技術文献】
【特許文献】
【０００６】
【特許文献１】特開２００７−０８６９０２号公報
【特許文献２】特開２００３−１４３３５０号公報
【発明の概要】
【発明が解決しようとする課題】
【０００７】
特許文献１に記載のコンテンツ提供システムでは、コンテンツ受信装置からコンテンツ要求が行われると、コンテンツ提供装置が、そのコンテンツ受信装置に対し、コンテンツ情報を送信する。このため、自分に対して写真撮影が行われていても、そのことに気づかないコンテンツ受信装置は、自分の写真を要求できず、自分の写真を入手できない恐れがある。また、コンテンツ提供装置が一定期間内に作成されたコンテンツ情報を送信するが、コンテンツ受信者が、送信時に一定範囲外に離れた場合、コンテンツ情報を入手できない恐れもある。また、コンテンツ受信者は、欲しくないコンテンツ情報を受信する恐れもある。更に、コンテンツ提供装置が、コンテンツが作成されたことを一定範囲内のコンテンツ受信装置に通知する。この通知により、コンテンツ受信装置のユーザは、コンテンツが作成されたことに気づくが、自分が欲しいコンテンツ（例えば、自分が撮影された写真）か否かは、判断できなかった。
【０００８】
また、特許文献２記載の撮影システムでは、自分が撮影されたことをその都度通知されるものではない。このため、自分の写真が撮影されていても、その写真の内容を実際に確認するまでは、自分が欲しいと思う写真か否かを判断できなかった。
【０００９】
このように、特許文献１や２に記載の発明では、自分が撮影されたことの通知を受けるものではないため、自分の写真の確認や、自分の写真の取得要求を行えなかった。また、特許文献1に記載の発明では、通知を送信するため、コンテンツが作成されたことを確認することができるが、そのコンテンツの内容については、確認することができなかった。
【００１０】
本発明の目的は、上記課題を解決し、情報の取得が行われたこと、及び情報の内容を示す通知を利用できる情報取得装置、通信機器、情報取得通知システム、及び情報取得通知方法を提供することにある。
【課題を解決するための手段】
【００１１】
本発明は上記課題を解決するためのものであって、本発明の情報取得装置は、
取得した情報を蓄積する蓄積手段と、
前記情報を取得すると、情報の識別情報及び格納場所を含む取得通知を周囲の通信機器に近距離無線通信を利用して送信する送信手段と、
前記通信機器から前記情報の送信要求を受けると、前記情報を前記通信機器へ送信する情報送信手段と
を備える。
【００１２】
また、本発明の通信機器は、
近距離無線受信部と、
情報取得装置から送信され、前記近距離無線受信部で受信した取得通知を記憶する記憶手段と、
前記取得通知に含まれている情報の格納場所にアクセスし、情報の送信を要求する情報要求手段と
を備える。
【００１３】
また、本発明の情報取得通知システムは、
前記情報取得装置と、
前記通信機器と
を備える。
【００１４】
また、本発明の情報取得通知方法は、
情報を取得すると、情報の識別情報及び格納場所を含む取得通知を周囲の通信機器に近距離無線通信を利用して送信する送信ステップと、
近距離無線通信を介して通信機器が取得通知を受信する受信ステップと、
前記格納場所から情報を送信するよう前記通信機器が要求する送信要求ステップと、
情報を送信するよう要求されると、前記格納場所から前記通信機器へ情報を送信する情報送信ステップと
を備える。
【発明の効果】
【００１５】
このような本発明によれば、通信機器のユーザは、取得通知を利用することにより、この取得通知の情報の格納場所から情報の入手を行うことができる。また、取得通知の情報の識別情報を利用して、ユーザは情報の確認を行うこともできる。
【図面の簡単な説明】
【００１６】
【図１】第１実施形態の通信機器の概略を示す説明図である。
【図２】第２実施形態の情報取得通知システムの概略を示す説明図である。
【図３】情報の取得通知の内容を示す説明図である。
【図４】情報取得装置と通信機器との動作フローを示す説明図である。
【図５】第３実施形態の情報取得通知システムの概略を示す説明図である。
【図６】情報の取得通知の内容を示す説明図である。
【図７】情報取得装置と通信機器とサーバーとの動作フローを示す説明図である。
【図８】第５実施形態の情報取得通知方法を示す説明図である。
【発明を実施するための形態】
【００１７】
本発明の第１実施形態について、図１に基づき説明する。
【００１８】
図１は、第１実施形態の情報取得装置の概略を示す説明図である。
【００１９】
情報取得装置１０１は、蓄積手段１０２と、送信手段１０３とを備える。
【００２０】
蓄積手段１０２は、取得した情報を蓄積する。
【００２１】
送信手段１０３は、情報を取得すると、情報の識別情報及び格納場所を含む取得通知を周囲の通信機器１１１、１１２に近距離無線通信を利用して送信する。近距離無線通信は、無線ＬＡＮ（Local Area Network）、Ｂｌｕｅｔｏｏｔｈ（登録商標）、ＩｒＤＡ（Infrared Data Association）等の近距離無線通信である。また、無線ＬＡＮの場合、ＩＥＥＥ（The Institute of Electrical and Electronics Engineers, Inc.）802.11諸規格に準拠した無線ＬＡＮを使用することができる。
【００２２】
また、情報の取得は、例えば他の通信機器から送信された情報を受信することにより行うことができる。また、撮影装置を備えている情報取得装置１０１の場合は、撮影装置で撮影することにより、写真等の静止画や、動画等の情報を取得することができる。更に、インターネットに接続できる情報取得装置１０１の場合には、ＨＴＭＬ（Hyper Text Markup Language）ファイルや各種のアプリケーションファイル等のコンテンツ情報を取得することができる。
【００２３】
情報の格納場所は、情報取得装置１０１の蓄積手段１０２である。また、ネットワーク上のサーバーにアップロードするための通信手段を備えており、情報をサーバーにアップロードする場合は、情報の格納場所は、サーバーのＵＲＬ（Uniform Resource Locator）となる。
【００２４】
また、送信手段１０３は、通信機器１１１、１１２から情報の送信要求を受けると、情報を通信機器１１１、１１２へ送信する情報送信手段の機能も備える。
【００２５】
このように構成された情報取得装置１０１は、情報を取得すると、蓄積手段１０２は、取得した情報を蓄積する。また、送信手段１０３は、情報を取得すると、情報の識別情報及び格納場所を含む取得通知を周囲の通信機器１１１、１１２に近距離無線通信を利用して送信する。
【００２６】
これにより、通信機器１１１、１１２のユーザは、情報取得装置１０１が情報を取得したことと、その情報の識別情報や格納場所を確認することができる。
【００２７】
また、情報取得装置１０１が、通信機器１１１、１１２から情報の送信要求を受けると、送信手段１０３は、要求された情報を通信機器１１１、１１２へ送信する。
【００２８】
これにより、通信機器１１１、１１２のユーザは、要求した情報を取得することができる。また、ユーザは、情報の識別情報を利用して情報を確認することができる。更に、複数の取得通知を受信している場合は、ユーザは、複数の取得通知の中から、識別情報を利用して必要な情報を検索することもできる。
【００２９】
このように、この実施形態によれば、通信機器１１１、１１２は、情報の識別情報及び格納場所を含む取得通知を受信することができるので、通信機器１１１、１１２のユーザは、取得通知に含まれている情報の格納場所から情報を取得することができる。また、通信機器１１１、１１２のユーザは、取得通知に含まれる情報の識別情報を利用して、情報を確認することや、識別情報を検索キーとして利用し、情報を検索することもできる。
【００３０】
尚、通信機器１１１、１１２が、知人のものではないと判っているときは、情報取得装置１０１のユーザは、情報の送信要求に応じたくないと考える場合がある。このような場合に対応するためには、情報取得装置１０１に、予め登録された通信機器からの情報の送信要求しか受け付けない機能を付加する方法がある。また、情報取得装置１０１に、情報の送信要求がある度に、送信要求に応じるか否かをユーザに入力させる機能を、付加する方法もある。
【００３１】
次に、本発明の第２実施形態について、図２〜図４に基づき説明する。
【００３２】
図２は、第２実施形態の情報取得通知システムの概略を示す説明図である。図３は、情報の取得通知の内容を示す説明図である。図４は、情報取得装置と通信機器との動作フローを示す説明図である。
【００３３】
図２に示すように、情報取得通知システム２００は、情報取得装置２１０と、通信機器２２０とを備える。
【００３４】
情報取得装置２１０は、情報取得部２１１と、ＣＰＵ（Central Processing Unit）２１２と、記憶部２１３と、無線通信部２１４とを備える。これらは、バス２１９で接続されている。
【００３５】
情報取得部２１１は、他の通信機器から送信された情報、例えば、写真等の静止画や、動画や、ネットワーク上に格納されているコンテンツ等を受信することにより、情報を取得する。また、この情報取得部２１１は、静止画や動画を撮影できる撮影手段とすることもできる。この第２実施形態では、情報取得部２１１を撮影手段とし、情報を写真とした場合について説明する。
【００３６】
ＣＰＵ２１２は、情報取得装置２１０内の機器を制御する。
【００３７】
記憶部２１３は、取得した情報を記憶すると共に、各種の制御プログラムも記憶する蓄積手段である。
【００３８】
無線通信部２１４は、近距離無線通信を使って、周囲の通信機器２２０と送受信を行う。特に、情報を取得すると、周囲の通信機器２２０に、近距離無線を利用して、取得通知を送信する送信手段である。近距離無線通信は、第１実施形態同様、無線ＬＡＮ、Ｂｌｕｅｔｏｏｔｈ（登録商標）、ＩｒＤＡ等を利用することができる。また、無線ＬＡＮの場合、ＩＥＥＥ802.11諸規格に準拠した無線ＬＡＮ（IEEE802.11a、IEEE802.11b、IEEE802.11g、IEEE802.11n等）装置を使用することができる。
【００３９】
また、図示しないが、情報取得装置２１０は、時計や、位置情報を取得するＧＰＳ（Global Positioning System）受信部を備えている。このため、情報取得装置２１０の具体的な実施形態としては、カメラ機能及びＧＰＳ受信部を備えた携帯通信端末や、ＧＰＳ受信部及び無線通信部を備えたディジタルスチルカメラが挙げられる。
【００４０】
更に、無線通信部２１４は、通信機器２２０から情報の送信要求を受けると、情報を通信機器２２０へ送信する情報送信手段の機能も備える。
【００４１】
通信機器２２０は、無線通信部２２１と、記憶部２２２とを備える。
【００４２】
無線通信部２２１は、情報取得装置２１０からの情報取得通知を受信するための近距離無線受信部である。また、この無線通信部２２１は、無線通信部２１４と同様に、無線ＬＡＮ（IEEE802.11a、IEEE802.11b、IEEE802.11g、IEEE802.11n等）、Ｂｌｕｅｔｏｏｔｈ（登録商標）、ＩｒＤＡ等を使用することができる。
【００４３】
記憶部２２２は、受信した情報の取得通知を記憶する記憶手段である。また、記憶部２２２は、各種の制御プログラムも記憶する。
【００４４】
情報取得装置２１０の送信する取得通知は、図３に示す内容を含む。取得通知は、取得した情報の識別記号（識別情報）、格納場所、取得した日時、取得した場所の位置情報を含む。格納場所の「ＤＳＣ−Ｎ００１」は、情報取得装置２１０を示し、その内部の記憶部２１３に取得した情報が格納されていることを示している。尚、格納場所は、情報取得装置２１０内に限定されず、後述する第３実施形態のように、ネットワーク上のサーバーに格納されることもある。
【００４５】
情報取得装置２１０の格納場所を示す名称「ＤＳＣ−Ｎ００１」は、情報取得装置２１０毎に異なる名称に設定されている。また、情報取得装置２１０毎に、情報の識別情報の付し方も、情報取得装置２１０毎に異なるように設定されている。このため、一度だけでも友人の情報取得装置２１０から取得通知を受け取っていれば、ユーザは、友人の情報取得装置２１０からの取得通知か、そうでないかを、判断することができる。
【００４６】
このように構成された情報取得通知システム２００は、図４に示すように動作する。
【００４７】
情報取得装置２１０は、情報取得部２１１で撮影する（情報を取得する、Ｓ２５１）と、無線通信部２１４は周囲の通信機器２２０に取得通知を送信する（Ｓ２５２）。また、無線通信部２１４は通信機器２２０以外の通信機器にも取得通知を送信する（Ｓ２５３）。このように、取得通知は周囲にある不特定多数の通信機器２２０に対して送信されるため、取得通知は、ブロードキャストされる。また、取得通知は、マルチキャストされてもよい。
【００４８】
通信機器２２０は、取得通知を受信すると、この取得通知を、記憶部２２２に記憶する（Ｓ２５４）。
【００４９】
通信機器２２０を使用しているユーザは、取得通知の内容を確認し、その写真（情報）を確認するか否かを判断する。例えば、グループで観光地に出かけ、その時に、グループ内のユーザの所有する情報取得装置２１０から受信した取得通知であれば、通信機器２２０のユーザは、その写真（情報）を確認したいと判断する。グループ外のユーザから受信した取得通知であれば、通信機器２２０のユーザは、その写真（情報）の確認は不要と判断する。取得通知が、グループ内のユーザの所有する情報取得装置２１０からか否かは、例えば、識別記号（識別情報）や格納場所で判断する。また、ユーザは、日時や、場所や、取得通知の数も判断材料とすることができる。
【００５０】
取得した写真（情報）を確認する場合、通信機器２２０のユーザは、格納場所、即ち通信先を通信機器２２０に表示させて（Ｓ２５５）、目視により通信先を確認する。そして、ユーザに操作されると、通信機器２２０は情報取得装置２１０に接続し、情報の送信要求を行う（Ｓ２５６）。
【００５１】
情報の送信要求を受けた情報取得装置２１０は、通信機器２２０に対し、写真（情報）の送信を行う（Ｓ２５７）。
【００５２】
写真（情報）の送信を受けた通信機器２２０のユーザは、写真（情報）の内容を確認することができる。また、通信機器２２０のユーザは、必要に応じ、情報を通信機器２２０の記憶部２２２に格納する。
【００５３】
このような情報取得通知システム２００によれば、通信機器２２０のユーザは、取得通知で、写真（情報）を取得したことが通知され、また、写真（情報）の識別記号や格納場所も通知される。このため、通信機器２２０のユーザは、取得されたタイミングや、情報の入手先を確認することができる。また、複数の取得通知を受信していた場合、ユーザは、情報の識別記号を利用して、複数の取得通知の中から欲しい情報を検索することもできる。
【００５４】
ユーザの通信機器２２０に情報の格納場所が通知されるので、通信機器２２０のユーザは、情報の入手を簡単に行うことができる。また、取得通知には、識別記号も含まれており、この識別記号を元に、確認したい情報を検索することもできる。
【００５５】
尚、情報取得装置２１０としては、ディジタルスチルカメラ（ディジタル式のカメラ）、ディジタルビデオカメラ（ディジタル式のカメラ）、ディジタル式のカメラの機能を備える携帯通信端末、入退場ゲート等を使用することができる。この場合、取得する情報は、静止画（写真等）、動画、ＩＤ（identifier）等となる。また、通信機器２２０としては、携帯通信端末（携帯電話機、ＰＨＳ（Personal Handyphone System）端末）、ＰＤＡ（Personal Data Assistance, Personal Digital Assistants：個人向け携帯型情報通信機器）、ゲーム機、ＲＦＩＤ（Radio Frequency Identification）装置を使用することができる。
【００５６】
このような第２実施形態のより詳しい例としては、次のものが挙げられる。すなわち、情報取得装置２１０として、ディジタルスチルカメラを使用し、通信機器２２０として携帯通信端末を使用し、情報取得装置２１０の取得する情報を写真とした情報取得通知システム２００である。この場合、携帯通信端末のユーザは、取得通知を受信すると、その取得通知の識別記号（識別情報）により、必要な写真か否かを判断したり、検索したりすることができる。また、携帯通信端末のユーザは、必要に応じて、情報の格納先から、写真を取得することもできる。
【００５７】
また、情報取得装置２１０として、タグリーダ／ライタ付きの入退場ゲートを使用し、通信機器２２０としてＩＤタグ付きのＩＤカードを使用し、入退場ゲートの取得する情報を、ＩＤカード内のＩＤとした情報取得通知システム２００を構築することもできる。この場合、入退場ゲートのタグリーダ／ライタがＩＤカードのＩＤを読み込むと、ゲートを開く制御を実行すると共に、そのＩＤタグに、取得通知を書き込む。この取得通知には、識別情報及び格納場所だけでなく、情報の取得時刻も含まれる。ＩＤカードのユーザは、書き込まれた取得通知を、パソコンのカードリーダで読み込み、その取得通知に含まれる情報の格納場所にアクセスする。格納場所には、そのＩＤ毎に、通過したゲート名や、情報を取得した時刻（入退場時刻刻）が、表として格納されている。そして、ユーザは、自分の入退場時刻を確認したり、格納されている表を勤怠管理の情報として上司に提出したりする等、利用することができる。
【００５８】
また、情報取得通知システム２００を次のように構築することもできる。情報取得装置２１０として、タグリーダ／ライタ及び無線ＬＡＮを備えた入退場ゲートを使用し、通信機器２２０として携帯通信端末やＲＦＩＤ装置を使用する。更に、入退場ゲートの取得する情報を、ＩＤタグ付きのＩＤカード内のＩＤとする。この場合、入退場ゲートのタグリーダ／ライタがＩＤカードのＩＤタグのＩＤの情報を読み込むと、入退場ゲートがゲートを開く制御を実行すると共に、携帯通信端末やＲＦＩＤ装置に、取得通知を通知する。携帯通信端末のユーザは、この受信した取得通知に含まれる情報の格納場所にアクセスし、情報を確認したり、利用したりすることができる。また、ＲＦＩＤ装置のユーザが、この入退場ゲートの管理者の場合、受信した取得通知に含まれる情報の格納場所にアクセスし、入退場管理の情報として確認したり、利用したりすることができる。
【００５９】
また、上記のＩＤタグ付ＩＤカードに替えて、品物に貼付されたＩＤタグとすることもできる。この場合、携帯通信端末のユーザや、他の通信機器のユーザは、受信した取得通知に含まれる情報の格納場所にアクセスすることにより、どのような品物が、どこのゲートを通過したか確認できる。これにより、この情報取得通知システムによれば、品物の管理を行うこともできる。
【００６０】
尚、この明細書では、入退場ゲートを、入退場のドアも含む表現として使用している。
【００６１】
次に、本発明の第３実施形態について、図５〜図７に基づき説明する。
【００６２】
図５は、第３実施形態の情報取得通知システムの概略を示す説明図である。図６は、情報の取得通知の内容を示す説明図である。図７は、情報取得装置と通信機器とサーバーとの動作フローを示す説明図である。
【００６３】
尚、第３実施形態は、第２実施形態をベースにしたシステムで、第２実施形態の情報取得通知システム２００の構成を全て備えている。更に、第３実施形態の情報取得通知システム３００は、情報アップロード用のサーバー３０１を備え、情報取得装置２１０Ａに取得した情報をサーバー３０１にアップロードするための通信部２１５を備える。
【００６４】
この情報取得通知システム３００については、情報取得通知システム２００と異なる部分について説明し、その他については、説明を省略又は簡略化する。
【００６５】
図５に示すように、情報取得通知システム３００は、情報取得装置２１０Ａと、通信機器２２０と、サーバー３０１と、無線ＬＡＮのアクセスポイント３０３とを備える。
【００６６】
情報取得装置２１０Ａは、情報取得部２１１と、ＣＰＵ２１２と、記憶部２１３と、無線通信部２１４と、通信部２１５を備える。これらは、バス２１９で接続されている。
【００６７】
通信部２１５は、取得した情報をサーバー３０１にアップロードするための通信手段である。
【００６８】
通信機器２２０は、無線通信部２２１Ａと、記憶部２２２とを備える。
【００６９】
この無線通信部２２１Ａは、近距離無線受信部及び近距離無線送信部を備え、更に、公衆交換電話網(ＰＳＴＮ、Public Switched Telephone Networks)３０４に接続して、サーバー３０１と接続するための通信手段を備える。このため、通信機器２２０は、無線通信部２２１Ａを利用して、情報取得装置２１０Ａからの取得通知を受信することができ、また、アクセスポイント３０３又は公衆交換電話網に接続することにより、サーバー３０１に情報の送信要求を行うことができる。
【００７０】
サーバー３０１は、インターネットやイントラネット等のネットワーク３０２に接続されている。また、サーバー３０１は、アップロードされた情報を格納する記憶部（図示せず）を備える。また、情報の送信要求に応じて、情報を送信する情報送信手段（図示せず）を備える。
【００７１】
情報取得装置２１０の送信する取得通知は、図６に示す内容を含む。取得通知は、取得した情報の識別番号、格納場所、取得した日時、取得した場所の位置情報を含む。格納場所の「http://...」は、サーバー３０１のＵＲＬを示し、そのサーバー３０１の図示しない記憶部に取得した情報が格納されていることを示している。また、識別番号は、識別情報のうち、番号だけで構成されたもので、取得した情報に関連付けられる。
【００７２】
このように構成された情報取得通知システム３００は、図７に示すフローのように動作する。
【００７３】
情報取得装置２１０Ａは、写真（情報）を取得する（Ｓ３５１）と、無線通信部２１４は周囲の通信機器２２０に取得通知を送信する（Ｓ３５２）。また、無線通信部２１４は通信機器２２０以外の通信機器にも取得通知を送信する（Ｓ３５３）。通信機器２２０は取得通知を受信すると、この取得通知を、記憶部２２２に記憶する（Ｓ３５４）。
【００７４】
情報取得装置２１０Ａの通信部２１５は、撮影した写真を、サーバー３０１にアップロードするアップロード処理を行う（Ｓ３５５）。
【００７５】
サーバー３０１は、アップロードされた写真を、記憶部（図示せず）に格納する（Ｓ３５６）。
【００７６】
通信機器２２０を使用しているユーザは、取得通知を確認し、その写真（情報）を確認するか否かを判断する。
【００７７】
通信機器２２０のユーザに操作されると、通信機器２２０は格納場所、即ち通信先を表示する（Ｓ３５７）。これにより、ユーザは、取得した写真（情報）の格納場所を、目視により確認できる。このときの通信先は、サーバー３０１のＵＲＬになる。そして、通信機器２２０のユーザに操作されると、通信機器２２０は、アクセスポイント３０３経由又は公衆交換電話網３０４経由でサーバー３０１に接続し、情報の送信要求を行う（Ｓ３５８）。
【００７８】
情報の送信要求を受けたサーバー３０１は、通信機器２２０に対し、アクセスポイント３０３経由又は公衆交換電話網３０４経由で、写真（情報）の送信を行う（Ｓ３５９）。
【００７９】
写真（情報）の送信を受けた通信機器２２０のユーザは、写真（情報）の内容を確認することができる。また、通信機器２２０のユーザは、必要に応じ、情報を通信機器２２０の記憶部２２２に格納する。
【００８０】
このような情報取得通知システム３００によれば、通信機器２２０のユーザは、取得通知で、写真（情報）を取得したことが通知され、また、写真（情報）の識別番号や格納場所も通知される。このため、通信機器２２０のユーザは、取得通知の情報の格納場所から情報の入手を行うことができる。また、取得通知の情報の識別番号や日時や場所を利用して、情報の要否を判断したり、必要な情報を検索したりすることもできる。
【００８１】
また、情報をサーバー３０１にアップロードする情報取得通知システム３００の場合、通信機器２２０が情報取得装置２１０Ａから離れても、アクセスポイント３０３経由又は公衆交換電話網３０４経由でサーバー３０１に接続して、情報を取得することができる利点がある。また、サーバー３０１に情報をアップロードしているため、情報取得装置２１０Ａが大容量の情報を取得しても、容量不足はほとんど起きない利点がある。
【００８２】
また、取得した情報全てをサーバー３０１にアップロードするようにして、情報取得装置２１０Ａに、情報を通信機器へ送信する送信手段（無線通信部２１４の機能の一部）を備えない構成とすることも可能である。この場合、情報取得装置２１０Ａをより安価にすることができると共に、情報を通信機器へ送信しないためバッテリー消費を抑えることもできる。
【００８３】
次に、本発明の第４実施形態について説明する。
【００８４】
この第４実施形態の情報取得通信システムは、第３実施形態の情報取得システム３００の構成を全て備える。更に、この第４実施形態の情報取得通信システムは、その情報取得装置２１０Ａに、無線通信部２１４の取得通知を送信する動作を停止させる停止手段（図示せず）を備える。また、この第４実施形態の情報取得通信システムは、通信機器２２０に、取得通知の記憶部２２２での記憶を停止させる停止手段（図示せず）を備える。
【００８５】
このように構成される第４実施形態の情報取得通信システムは、次のように動作する。
【００８６】
情報取得装置２１０Ａのユーザは、この情報取得装置２１０Ａで取得した情報を、知らない人に公開されたくない場合がある。この場合、情報取得装置２１０Ａから取得通知が送信されないようにすればよい。情報取得装置２１０Ａのユーザは、情報取得装置２１０Ａを操作して、停止手段を動作させる。これにより、この情報取得装置２１０Ａで情報を取得した場合でも、取得通知が送信されないため、情報を取得したことや、情報が格納されている場所を、他人に知られることはない。また、一時的に、無線通信部２１４を停止しているので、バッテリーの消耗を抑えることもできる。
【００８７】
更に、情報取得装置２１０Ａのユーザが取得通知を送信したくなった場合は、ユーザは情報取得装置２１０Ａを操作して、停止手段の動作を停止させる。これにより、再び、情報取得装置２１０Ａは取得通知を送信するようになる。
【００８８】
また、通信機器２２０のユーザは、情報取得装置２１０Ａからの取得通知を記憶部２２２に記憶させたくない場合がある。例えば、情報取得装置２１０Ａのユーザが知り合いではない場合や、取得通知が多数送信される場合等が、これに該当する場合と考えられる。この場合、通信機器２２０の記憶部２２２が取得通知を記憶しないようにすればよい。通信機器２２０のユーザは、通信機器２２０を操作して、停止手段を動作させる。これにより、この通信機器２２０の記憶部２２２では、取得通知を記憶しなくなる。
【００８９】
更に、通信機器２２０のユーザが取得通知を記憶部２２２に記憶させたくなった場合は、ユーザは通信機器２２０を操作して、停止手段の動作を停止させる。これにより、再び、通信機器２２０の記憶部２２２は取得通知を記憶する。尚、記憶部２２２が取得通知を記憶しないようにする停止手段の替わりに、無線通信部２２１Ａの取得通知の受信を停止する停止手段を、通信機器２２０に備えることもできる。
【００９０】
次に、本発明の第５実施形態について、図８に基づき説明する。
【００９１】
図８は、第５実施形態の情報取得通知方法を示す概略図である。
【００９２】
図８に示すように、情報取得通知方法４００は、送信ステップ４０１と、受信ステップ４０２と、送信要求ステップ４０３と、情報送信ステップ４０４とを備える。
【００９３】
送信ステップ４０１は、情報を取得すると、情報の識別情報及び格納場所を含む取得通知を周囲の通信機器に近距離無線通信を利用して送信するステップである。
【００９４】
また、受信ステップ４０２は、近距離無線通信により周囲の通信機器が取得通知を受信するステップである。
【００９５】
また、送信要求ステップ４０３は、取得通知に含まれる情報の格納場所から情報を送信するよう通信機器が要求するステップである。
【００９６】
また、情報送信ステップ４０４は、情報を送信するよう要求されると、前記格納場所から前記通信機器へ情報を送信するステップである。
【００９７】
このような情報取得通知方法４００は、例えば情報取得装置が情報を取得すると、情報の識別情報及び格納場所を含む取得通知を周囲の通信機器に近距離無線通信を利用して送信する。そして、近距離無線通信により周囲の通信機器が取得通知を受信する。ユーザが通信機器を操作することにより、通信機器は、取得通知に含まれる格納場所から情報を送信するように要求する。例えば情報取得装置がこの要求を受けると、この情報取得装置は情報を通信機器へ送信する。
【００９８】
このように、通信機器のユーザは、取得通知を利用することにより、この取得通知の情報の格納場所から情報の入手を行うことができる。また、取得通知の情報の識別情報を利用して、ユーザは情報の確認や検索を行うこともできる。
【００９９】
尚、情報取得通知方法４００に、取得された情報がサーバーにアップロードされるアップロードステップと、前述の情報がアップロードされたサーバーに接続するためのサーバー接続ステップとを、更に備えることもできる。
【０１００】
これらのステップを更に備える情報取得通知方法４００では、取得した情報をサーバーにアップロードしているため、情報取得装置の記憶部が比較的小さい場合でも、多量の情報や大容量の情報を取得することができる。また、近距離無線の通信範囲から通信機器が離れた場合においても、通信機器はサーバーに接続して、情報の確認、取得を行うことができる。
【０１０１】
次に、本発明の第６実施形態について説明する。
【０１０２】
この第６実施形態の情報取得装置の情報取得通知方法は、蓄積ステップと送信ステップと情報送信ステップとを備える。
【０１０３】
蓄積ステップは、取得した情報を蓄積するステップである。送信ステップは、情報を取得すると、情報の識別情報及び格納場所を含む取得通知を周囲の通信機器に近距離無線通信を利用して送信するステップである。情報送信ステップは、通信機器から情報の送信要求を受けると、情報を通信機器へ送信する情報送信ステップである。
【０１０４】
このような情報取得装置の情報取得通知方法によれば、蓄積ステップにより、例えば、情報取得装置は、取得した情報を蓄積する。そして、送信ステップにより、例えば、情報取得装置が情報を取得すると、情報の識別情報及び格納場所を含む取得通知を周囲の通信機器に近距離無線通信を利用して送信する。情報送信ステップにより、例えば、情報取得装置は通信機器から情報の送信要求を受けると、情報を通信機器へ送信する。
【０１０５】
これにより、通信機器のユーザは、情報を入手することができる。また、取得通知に含まれる情報の識別情報を利用して、ユーザは情報の確認や検索を行うこともできる。
【０１０６】
尚、この第６実施形態の情報取得装置の情報取得通知方法において、情報をネットワーク上のサーバーにアップロードするための通信ステップを、更に備えることもできる。
【０１０７】
次に、本発明の第７実施形態について説明する。
【０１０８】
この第７実施形態の通信機器における情報取得通知方法は、近距離無線受信ステップと記憶ステップと情報要求ステップとを備える。
【０１０９】
近距離無線受信ステップは、近距離無線で送られる取得通知を受信するステップである。記憶ステップは、情報取得装置から送信され、受信した取得通知を記憶するステップである。情報要求ステップは、取得通知に含まれる情報の格納場所にアクセスし、情報の送信を要求するステップである。
【０１１０】
このような通信機器における情報取得通知方法によれば、近距離無線受信ステップにより、例えば、通信機器が取得通知を近距離無線通信で受信する。そして、記憶ステップにより、情報取得装置から送信され、受信した取得通知を、例えば、通信機器が記憶する。そして、情報要求ステップにより、例えば、通信機器が取得通知に含まれる情報の格納場所にアクセスし、情報の送信を要求する。これにより、例えば、通信機器のユーザは、情報の送信を受けることができる。
【０１１１】
尚、この第７実施形態の通信機器における情報取得通知方法において、アップロードされた情報を蓄積するサーバーに接続するための通信ステップを、更に備えることもできる。
【０１１２】
以上、実施形態を参照して本願発明を説明したが、本願発明は上記実施形態に限定されものではない。本願発明の構成や詳細には、本願発明のスコープ内で当業者が理解し得る様々な変更をすることができる。
【産業上の利用可能性】
【０１１３】
本発明の情報取得装置として、ディジタルスチルカメラ、ディジタルビデオカメラ、入退場ゲート等を活用することができる。また、通信機器として、携帯通信端末、ゲーム機、ＰＤＡ、ＲＦＩＤ装置等を活用することができる。
【符号の説明】
【０１１４】
１０１    情報取得装置
１０２    蓄積手段
１０３    送信手段
１１１    通信機器
１１２    通信機器
２００    情報取得通知システム
２１０    情報取得装置
２１０Ａ    情報取得装置
２１１    情報取得部
２１２    ＣＰＵ
２１３    記憶部
２１４    無線通信部
２１５    通信部
２１９    バス
２２０    通信機器
２２１    無線通信部
２２１Ａ    無線通信部
２２２    記憶部
３００    情報取得通知システム
３０１    サーバー
３０２    ネットワーク
３０３    アクセスポイント
３０４    公衆交換電話網
４００    情報取得通知方法
４０１    送信ステップ
４０２    受信ステップ
４０３    送信要求ステップ
４０４    情報送信ステップ
【図１】
2011060106.tif 000003
【図２】
2011060106.tif 000004
【図３】
2011060106.tif 000005
【図４】
2011060106.tif 000006
【図５】
2011060106.tif 000007
【図６】
2011060106.tif 000008
【図７】
2011060106.tif 000009
【図８】
2011060106.tif 000010